(57)【特許請求の範囲】
【請求項１】
被収納物を収納可能なスライド式の引出を備える収納庫であって、
コの字状に折り曲げられたステンレス製の板状部材によって両側面および背面が一体に形成され前記引出を収容する本体部と、
前記本体部の両側面の内側に一対に取り付けられ前記引出をスライド可能にするレールと、
前記本体部の側面の外側に配置される金属製のネジ受けプレートと、
を備え、
前記ネジ受けプレートは、前記レールを前記本体部の側面にネジ止めする際にネジを挿通されるネジ穴を有し、
前記ネジ穴はバーリング加工により縁にフランジが形成されていることを特徴とする収納庫。
【請求項２】
前記ネジ受けプレートはステンレス製の板状部材からなり、前記レールに沿う長尺部材であって、長辺の縁に前記本体部の側面から離れる方向のフランジを有していることを特徴とする請求項１に記載の収納庫。
【請求項３】
前記本体部の側面には、該側面を前記本体部の内部に向かって押し出すように切り込んだブリッジ部が設けられていて、
前記レールの後端の角部を前記ブリッジ部に挿入することにより該レールを位置決めしていることを特徴とする請求項１または２に記載の収納庫。
【請求項４】
前記本体部の側面には、下辺以外の三方を打ち抜いて該本体部の外部に向かって押し出され、該本体部の側面と平行に上向きになっているフック部が設けられていて、
前記ネジ受けプレートには、前記フック部に対応する位置に挿入穴が設けられていて、
前記挿入穴に前記フック部を挿入することにより前記本体部の側面に前記ネジ受けプレートを支持すると共に上下方向に位置決めしていることを特徴とする請求項１から３のいずれか１項に記載の収納庫。
【発明の詳細な説明】
【技術分野】
【０００１】
本発明は、被収納物を収納可能なスライド式の引出を備える収納庫に関する。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。近年では、引出などに収納される被収納物をある程度想定し、引出の大きさや仕切りの形状を工夫することにより、使い勝手の向上を図ることが行われている。
【０００３】
顧客の幅広いニーズに応えるために、収納庫は木製のものやステンレス等からなる金属製のものなど各種ラインナップが取り揃えられているが、なかでも金属製の収納庫は、高級感や耐久性の高さにおいて人気があり、最近の主流となりつつある。例えば特許文献１では、背板と左右の側板を一枚の板材を折曲して一体に形成した背側板としてその下端に底板を、左右側板の前面上部に幕板を接合するようにした金属製キャビネットが開示されている。
【先行技術文献】
【特許文献】
【０００４】
【特許文献１】特開２０００−５０９８０号公報
【発明の概要】
【発明が解決しようとする課題】
【０００５】
しかしながら、特許文献１のキャビネットに限らず、金属製の収納庫は、上述したように高級感や耐久性においては木製の収納庫よりも優れるものの、コストパフォーマンスにおいては木製の収納庫に及ばない。また他の課題として、搬送作業や設置作業に要する労力を軽減するために軽量化が要請されている。したがって、従来の金属製の収納庫には更なる改良が望まれていた。
【０００６】
低コスト化および軽量化を達成するためには、金属製の収納庫を構成する金属板の板厚を薄くしたり、金属板の外面に接合される補強材（以下、芯材と称する）を排除したりすることが効果的である。しかし、金属板を単に薄くすると、引出をスライドさせるためのレールを収納庫内部の側面にネジ止めするための厚みが不足してしまい、その取付強度の低下が生じるおそれがある。すると、その厚みを補うために芯材が必須となるため大幅な軽量化を達成することは困難である。
【０００７】
本発明は、このような課題に鑑み、芯材を設けずとも、レールの取付強度を低下させることなく金属板の厚みを薄くすることができ、低コスト化および軽量化を達成することが可能な収納庫を提供することを目的としている。
【課題を解決するための手段】
【０００８】
上記課題を解決するために、本発明にかかる収納庫の代表的な構成は、被収納物を収納可能なスライド式の引出を備える収納庫であって、コの字状に折り曲げられたステンレス製の板状部材によって両側面および背面が一体に形成され引出を収容する本体部と、本体部の両側面の内側に一対に取り付けられ引出をスライド可能にするレールと、本体部の側面の外側に配置される金属製のネジ受けプレートと、を備え、ネジ受けプレートは、レールを本体部の側面にネジ止めする際にネジを挿通されるネジ穴を有し、ネジ穴はバーリング加工により縁にフランジが形成されていることを特徴とする。
【０００９】
上記構成によれば、ネジ受けプレートに設けられたネジ穴にフランジが形成されているため、薄いネジ受けプレートであっても、ネジ止めに要する厚み（かかり高さ）を好適に確保することができる。これにより、本体部を構成する板状部材およびネジ受けプレートの厚みを薄くしても十分な強度を持ってレールを取付可能となるため、芯材（樹脂や木材からなる梁状の補強材）を設ける必要がない。したがって、板厚の低減および芯材の排除により収納庫の大幅な低コスト化および軽量化を図ることができる。また芯材は従来であれば接着剤等を用いて本体部の側面に接合されていたが、本発明ではネジ受けプレートはネジ止めされるため、その取り外しも容易である。このため、収納庫廃棄時の分別作業を容易に行うことができる。
【００１０】
上記のネジ受けプレートはステンレス製の板状部材からなり、レールに沿う長尺部材であって、長辺の縁に本体部の側面から離れる方向のフランジを有しているとよい。かかる構成のようにネジ受けプレートにフランジを設けることにより、その断面はコの字状となる。これにより、ネジ受けプレートの強度も向上させることができ、その板厚の低減、ひいては更なるコスト削減および軽量化を達成することができる。またネジ受けプレートが本体部と同様にステンレス製であるため分別する必要がなく、当該収納庫を廃棄する際の分別作業に要する手間をより削減することが可能となる。
【００１１】
上記の本体部の側面には、側面を本体部の内部に向かって押し出すように切り込んだブリッジ部が設けられていて、レールの後端の角部をブリッジ部に挿入することによりレールを位置決めしているとよい。これにより、本体部の側面にレールを取り付ける際の位置決めが容易となる。
【００１２】
上記の本体部の側面には、下辺以外の三方を打ち抜いて本体部の外部に向かって押し出され、本体部の側面と平行に上向きになっているフック部が設けられていて、ネジ受けプレートには、フック部に対応する位置に挿入穴が設けられていて、挿入穴にフック部を挿入することにより本体部の側面にネジ受けプレートを支持すると共に上下方向に位置決めしているとよい。これにより、本体部の側面にネジ受けプレートを取り付ける際の位置決めが容易となる。
【発明の効果】
【００１３】
本発明によれば、芯材を設けずとも、レールの取付強度を低下させることなく金属板の厚みを薄くすることができ、低コスト化および軽量化を達成することが可能な収納庫を提供することができる。
【図面の簡単な説明】
【００１４】
【図１】本実施形態にかかる収納庫を備えるキッチンを示す図である。
【図２】本実施形態にかかる収納庫であるベースキャビネットの本体部の斜視図である。
【図３】図２の本体部の分解斜視図および正面図である。
【図４】ブリッジ部の詳細を示す図である。
【図５】ネジ受けプレートの詳細を示す図である。
【図６】フック部の詳細を示す図である。
【図７】レールおよびネジ受けプレートのネジ止めを説明する図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（キッチン）
図１は本実施形態にかかる収納庫を備えるキッチンを示す図である。キッチン１００は一枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。また天板１１０には、組み込み式に取り付けられたコンロ１１２、平坦なテーブル面であり主に調理を行うのに利用される調理スペース１１４、天板１１０に一体形成されたシンク１１６が設けられる。
【００１７】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１８】
各収納庫は、被収納物を収納するために、様々な大きさのスライド式の引出を設けている。コンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部（グリル１１２ａの下）には幅の広い大きな引出１２４が配設され、鍋やボウルなどの比較的大きな調理器具を収納することが可能になっている。またコンロキャビネット１２０の下部の床近傍には、引出式の足元収納である足下収納庫１２６が配設されている。同様に、ベースキャビネット１３０には複数の引出１３２、１３４および足下収納庫１３６が配設され、シンクキャビネット１４０には引出１４４、および足下収納庫１４６が配設されている。
【００１９】
（収納庫）
次に、本実施形態の特徴である収納庫について説明する。なお、以下の説明では、上述したコンロキャビネット１２０、ベースキャビネット１３０、シンクキャビネット１４０のうち、ベースキャビネット１３０を例示するが、本発明はコンロキャビネット１２０およびシンクキャビネット１４０にも適用可能である。
【００２０】
図２は、本実施形態にかかる収納庫であるベースキャビネット１３０の本体部の斜視図であり、理解を容易にするために、図１の本体部から引出１３２および１３４、ならびに足下収納庫１３６を取り外した状態を示している。図３は、図２の本体部の分解斜視図および正面図であり、図３（ａ）は図２の本体部の分解斜視図であり、図３（ｂ）は図２の本体部の正面図である。
【００２１】
ベースキャビネット１３０は、引出１３２および１３４、足下収納庫１３６（図１参照）、ならびにそれらを収容する本体部２００を備える（図２参照）。図３（ａ）に示すように、本体部２００の右側面２００ａおよび左側面２００ｂ（以下、これらを総じて両側面と称する。）、背面２００ｃは、ステンレス製の板状部材をコの字状に折り曲げることにより一体に形成される。このように本体部２００をステンレス製（金属製）とすることにより、高級感や耐久性が得られ、両側面および背面２００ｃを１枚板で構成することにより、部材数の削減、ひいてはそれらの組立工数の削減が可能となる。
【００２２】
本体部２００の両側面の前縁の上部には、かかる両側面および背面２００ｃとは別部材からなるステンレス製の前板が前面２００ｄとして取り付けられる。また両側面および背面２００ｃの下縁にはステンレス製の底板が底面２００ｅとして取り付けられる。これにより、本体部２００が図２に示す状態となる。
【００２３】
なお、本実施形態においては前面２００ｄおよび底面２００ｅにもステンレス製の板状部材を用いることとしたが、これに限定するものではない。しかし、かかる構成によれば、素材の統一感が得られるため高い意匠性が得られたり、ベースキャビネット１３０を廃棄する際の分別作業が容易になったりするという利点を得ることができる。
【００２４】
図３（ｂ）に示すように、本体部２００には、右側面２００ａの内側にレール２１０ａ、２１０ｂおよび２１０ｃが取り付けられていて、左側面２００ｂの内側にレール２１０ｄ、２１０ｅおよび２１０ｆが取り付けられている。すなわち、本体部２００の両側面の内側には、高さ方向においてレール２１０ａ〜２１０ｆが左右一対に取り付けられている。これにより、引出１３２および１３４や足下収納庫１３６（図１参照）の側面に設けられたプーリ（不図示）をレール２１０ａ〜２１０ｆに挿入して、引出１３２および１３４や足下収納庫１３６をスライド可能となる。
【００２５】
図３（ａ）に示すように、上記レール２１０ａ〜２１０ｆの取付を容易にするために、本体部２００には、右側面２００ａにブリッジ部２０２ａ、２０２ｂおよび２０２ｃが、左側面２００ｂにブリッジ部２０２ｄ、２０２ｅおよび２０２ｆが形成されている。なお、ブリッジ部２０２ａ〜２０２ｆは同一の構成を有するため、以下の説明ではブリッジ部２０２ｄを例示して説明する。
【００２６】
図４は、ブリッジ部２０２ｄの詳細を示す図であり、図４（ａ）は図２のブリッジ部２０２ｄの周辺拡大図であり、図４（ｂ）は図４（ａ）のＡ−Ａ断面図であり、図４（ｃ）はブリッジ部２０２ｄによるレール２１０ｄの位置決めを説明する図である。
【００２７】
図４（ｂ）に示すように、ブリッジ部２０２ｄは、左側面２００ｂ（側面）を本体部２００の内部に向かって押し出すように切り込むことにより形成されている。そして、図４（ｃ）に示すようにレール２１０ｄの後端の角部を、斜め前方からブリッジ部２０２ｄに挿入して破線位置に配置する。これにより、図４（ａ）に示すようにレール２１０ｄが水平方向および垂直方向の両方において位置決めされる。したがって、本体部２００の左側面２００ｂにレール２１０ｄを取り付ける際の位置決めが容易となる。
【００２８】
また図２および図３（ｂ）に示すように、本実施形態の本体部２００には、右側面２００ａの外側においてレール２１０ａ〜２１０ｃに対応する位置にネジ受けプレート２２０ａ、２２０ｂおよび２２０ｃが取り付けられている。同様に、左側面２００ｂの外側においてレール２１０ｄ〜２１０ｆに対応する位置にネジ受けプレート２２０ｄ、２２０ｅおよび２２０ｆが取り付けられている。すなわち、本体部２００の両側面の外側には、レール２１０ａ〜２１０ｆに対応する位置に、高さ方向においてネジ受けプレート２２０ａ〜２２０ｆが左右一対に取り付けられている。
【００２９】
図５は、ネジ受けプレート２２０ａの詳細を示す図であり、図５（ａ）はネジ受けプレート２２０ａの斜視図であり、図５（ｂ）は図５（ａ）のＢ−Ｂ断面図である。なお、ネジ受けプレート２２０ａ〜２２０ｆは同一の構成を有するため、以下の説明ではネジ受けプレート２２０ａを例示して説明する。
【００３０】
本実施形態のネジ受けプレート２２０ａは、ステンレス製の板状部材からなり、図５（a）に示すように、その背面側に配置されているレール２１０ｂ（図３（ｂ）参照）に沿うように長尺に延びている。このようにネジ受けプレート２２０ａを本体部２００と同様にステンレス製にしたことにより、ベースキャビネット１３０の廃棄時における分別作業の手間を軽減することができる。
【００３１】
ネジ受けプレート２２０ａは、長辺の縁に本体部２００の側面から離れる方向のフランジ２２２を有している。これにより、図５（ｂ）に示すようにネジ受けプレート２２０ａの断面がコの字状になるため強度の向上を図ることができ、その板厚を低減可能である。したがって、コスト削減および軽量化が可能となる。
【００３２】
またネジ受けプレート２２０ａには、レール２１０ａを本体部２００の右側面２００ａ（側面）にネジ止めする際にネジ（本実施形態においては、図７（ａ）に示す溝付きネジ２３０）を挿通されるネジ穴２２４ａが設けられている。図５（ｂ）に示すように、ネジ穴２２４ａはバーリング加工により縁に外側に向かうフランジ２２４が形成されている。すなわちフランジ２２４は、ネジ穴２２４ａから延長された筒状になっている。これにより、ネジ受けプレート２２０ａの板厚が薄くても、レール２１０ａのネジ止めに要する厚み（かかり高さ）を好適に確保することができる。更に、ネジ受けプレート２２０ａには、本体部２００に設けられているフック部に対応する位置に、それを挿入可能な挿入穴２２６が設けられている。
【００３３】
図３（ａ）に示すように、本体部２００には、右側面２００ａにフック部２０４ａ、２０４ｂおよび２０４ｃが、左側面２００ｂにフック部２０４ｄ、２０４ｅおよび２０４ｆが形成されている。なお、フック部２０４ａ〜２０４ｆは同一の構成を有するため、以下の説明ではフック部２０４ａを例示して説明する。
【００３４】
図６は、フック部２０４ａの詳細を示す図であり、図６（ａ）は図２のフック部２０４ａの周辺拡大図であり、図６（ｂ）は図６（ａ）のＣ−Ｃ断面図であり、図６（ｃ）はフック部２０４ａによるネジ受けプレート２２０ａの位置決めを説明する図である。
【００３５】
図６（ａ）および（ｂ）に示すように、フック部２０４ａは、本体部２００の右側面２００ａ（側面）と平行な上向きのフックであり、ランス加工等により下辺以外の三方を打ち抜いて本体部２００の外部（外側）に向かって押し出して形成される。そして、図６（ｃ）に示すように、ネジ受けプレート２２０ａを、フック部２０４ａの上方から移動させて、その挿入穴２２６にフック部２０４ａが挿入されるように破線位置に配置する。これにより、図２および図６（ａ）に示すようにネジ受けプレート２２０ａがフック部２０４ａによって右側面２００ａに支持され、且つ水平方向および垂直方向（上下方向）の両方において位置決めされる。したがって、本体部２００の右側面２００ａにネジ受けプレート２２０ａを取り付ける際の位置決めが容易となる。
【００３６】
図７は、レール２１０ａおよびネジ受けプレート２２０ａのネジ止めを説明する図であり、図７（ａ）は溝付きネジ２３０を示す図であり、図７（ｂ）はネジ止め時の状態を示す断面図である。上述したようにブリッジ部２０２ｄによってレール２１０ａの位置決めを行い、フック部２０４ａによってネジ受けプレート２２０ａの位置決めを行うと、それらは右側面２００ａに対して図７（ｂ）に示す状態に配置される。そして、図７（ｂ）示すように、レール２１０ａ側（本体部２００の内側）から、右側面２００ａのネジ穴２０６、レール２１０ａのネジ穴２１２およびネジ受けプレート２２０ａのネジ穴２２４ａにネジを挿入して、それらをネジ止めする。
【００３７】
上記のネジ止めのネジとして、本実施形態では、図７（ａ）に示す溝付きネジ２３０を用いる。溝付きネジ２３０は、先端に溝２３０ａを有する。これにより、ネジ止め時の回転により、溝付きネジ２３０の螺刻によってネジ穴２２４ａのフランジ２２４に雌ネジの螺刻が形成されるため、溝付きネジ２３０がネジ穴２２４ａに揉み込まれた状態となる。したがって、フランジ２２４に事前に雌ネジを形成していなくても確実にネジ止めすることができる。
【００３８】
上記説明したように、本実施形態にかかる収納庫によれば、ネジ受けプレート２２０ａ〜２２０ｆによって十分な強度を持ってレール２１０ａ〜２１０ｆを取付可能となる。したがって、芯材を設けることなく、本体部２００を構成する板状部材（金属板）およびネジ受けプレート２２０ａ〜２２０ｆの厚みを薄くすることができ、板厚の低減および芯材の排除により収納庫（ベースキャビネット１３０）の大幅な低コスト化および軽量化を達成することが可能となる。またネジ受けプレート２２０ａ〜２２０ｆはネジ止めされるため、従来のように接着剤等を用いて本体部２００の側面（右側面２００ａおよび左側面２００ｂ）に接合されていた芯材に比べて取り外しも容易である。このため、収納庫廃棄時の分別作業を容易に行うことができる。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４０】
本発明は、被収納物を収納可能なスライド式の引出を備える収納庫に利用することができる。
【符号の説明】
【００４１】
１００…キッチン、１１０…天板、１１２…コンロ、１１２ａ…グリル、１１２ｂ…操作パネル、１１４…調理スペース、１２０…コンロキャビネット、１２２…スパイスボックス、１２４…引出、１２６…足下収納庫、１３０…ベースキャビネット、１３２…引出、１３４…引出、１３６…足下収納庫、１４０…シンクキャビネット、１４４…引出、１４６…足下収納庫、２００…本体部、２００ａ…右側面、２００ｂ…左側面、２００ｃ…背面、２００ｄ…前面、２００ｅ…底面、２０２ａ…ブリッジ部、２０２ｂ…ブリッジ部、２０２ｃ…ブリッジ部、２０２ｄ…ブリッジ部、２０２ｅ…ブリッジ部、２０２ｆ…ブリッジ部、２０４ａ…フック部、２０４ｂ…フック部、２０４ｃ…フック部、２０４ｄ…フック部、２０４ｅ…フック部、２０４ｆ…フック部、２０６…ネジ穴、２１０ａ…レール、２１０ｂ…レール、２１０ｃ…レール、２１０ｄ…レール、２１０ｅ…レール、２１０ｆ…レール、２１２…ネジ穴、２２０ａ…ネジ受けプレート、２２０ｂ…ネジ受けプレート、２２０ｃ…ネジ受けプレート、２２０ｄ…ネジ受けプレート、２２０ｅ…ネジ受けプレート、２２０ｆ…ネジ受けプレート、２２２…フランジ、２２４…フランジ、２２４ａ…ネジ穴、２２６…挿入穴、２３０…溝付きネジ、２３０ａ…溝
【図１】
0005264875.tif 000002
【図２】
0005264875.tif 000003
【図３】
0005264875.tif 000004
【図４】
0005264875.tif 000005
【図５】
0005264875.tif 000006
【図６】
0005264875.tif 000007
【図７】
0005264875.tif 000008